(57)【特許請求の範囲】
【請求項１】
一方向に延びる器具本体と、該器具本体の前面に設けられた反射膜部と、該反射膜部の略中心軸線上の両端部にそれぞれ突設されたソケットと、該ソケットに支持される長尺状のランプとを備え、前記中心軸線方向に直線状に複数連結されて前記反射膜部からの反射光を照明光として利用する間接照明用の蛍光灯照明器具において、
前記器具本体及び前記反射膜部の両端に、前記中心軸線に沿ってそれぞれ中央側から端部へ至るに従い直線状に器具本体の前面から背面方向に向かう傾斜部が形成されてなり、
該傾斜部の前面に、複数の折り曲げ部を有して略Ｕ字状断面とされ、内側を反射面とした反射板が設けられていることを特徴とする蛍光灯照明器具。
【請求項２】
請求項１記載の蛍光灯照明器具において、
前記反射板は、一端にソケット用切欠きを有すると共に、他端にランプ用切欠きを有する第１反射板と、他端にソケット用切欠きを有すると共に、他端にランプ用切欠きを有する第２反射板とが、対称形状に形成された分割品であることを特徴とする蛍光灯照明器具。
【請求項３】
請求項１記載の蛍光灯照明器具において、
前記反射板は、長さ方向の中央部に、互いに背中合わせに配置されるソケット用切欠きを有する単品からなることを特徴とする蛍光灯照明器具。
【発明の詳細な説明】
【０００１】
【発明の属する技術分野】
この発明は、蛍光灯照明器具に係り、特に複数個を直線状に配列して好適に使用される蛍光灯照明器具に関する。
【０００２】
【従来の技術】
ホテルのロビーやデパート等の売場等においては、照射面への直接照明を行う照明装置が設置される他、間接的な照明を行う照明装置が設置されている。
このように間接的な照明を行う照明装置として、例えば図５に示すように、長尺状に形成された器具本体１の前面に略平坦な形状で反射膜部２が設けられ、その反射膜部２の前面の両端部にソケット３ａ、３ｂが突設され、ソケット３ａ、３ｂに直管型の蛍光灯からなるランプ４が支持されてなる蛍光灯照明器具が使用される。
そして、これらの蛍光灯照明器具が連続的に複数個直線状に配列されることで、例えば壁面に沿った所定長の照明装置が構成される。
【０００３】
ところで、上記の照明装置においては、複数の蛍光ランプ４が直線状に配設される関係上、互いに隣り合うランプ４のソケット３ａ、３ｂが互いに背中合わせに取り付けられており、それら発光源とはならないソケット３ａ、３ｂが存在するので、ランプ４の前方に設けられているカバー（図示しない）を外方から見た場合、両ソケット３ａ、３ｂの突き合わせ部周辺が所定の照度を得られず、他と比べて暗くなってしまい、直線状の一様な明るさが得られなかった。
【０００４】
それを解消するため、従来は図６に示す照明装置が提案され、実用に供されている。この照明装置は、反射膜部２上に設けられたランプ４の一端側と、これと隣り合うランプ４の他端側とがオーバーラップするように取り付け、これによってソケット３ａ、３ｂが存することによる暗くなる部分が発生するのを防ぎ、ランプ４の長さ方向の沿って直線状の一様な明るさを得ようとするものである。
【０００５】
【発明が解決しようとする課題】
ところで、図６に示す従来の照明装置は、ソケット３ａ、３ｂの存する部分周辺が暗くなるのを防げるので、有益であるものの、以下に示す問題があった。
即ち、一方のランプ４の一端側と、これと隣り合う他方のランプ４の他端側とがオーバーラップするので、装置全体として蛍光ランプの数がかなり多くなってしまう問題があった。
また、互いに隣り合うランプ４の端部同士がオーバーラップすると、その分だけ蛍光灯照明器具の幅Ｗａを拡げる必要が生じ、それに合わせて蛍光灯照明器具そのものを、即ち、器具本体１、反射膜部２、カバーの幅を大きく形成しなければならない結果、照明装置全体が大型化してしまう問題があった。
【０００６】
この発明は、このような事情を考慮してなされたもので、その目的は、使用するランプの数が増えたり大型化するのを防止し、しかも暗くなる部分が生じず直線状の一様な明るさが得られる蛍光灯照明器具を提供することにある。
【０００７】
【課題を解決するための手段】
上記目的を達成するために、この発明は以下の手段を提案している。
請求項１に係る発明は、一方向に延びる器具本体と、該器具本体の前面に設けられた反射膜部と、該反射膜部の略中心軸線上の両端部にそれぞれ突設されたソケットと、該ソケットに支持される長尺状のランプとを備え、前記中心軸線方向に直線状に複数連結されて前記反射膜部からの反射光を照明光として利用する間接照明用の蛍光灯照明器具において、前記器具本体及び前記反射膜部の両端に、前記中心軸線に沿ってそれぞれ中央側から端部へ至るに従い直線状に器具本体の前面から背面方向に向かう傾斜部が形成されてなり、該傾斜部の前面に、複数の折り曲げ部を有して略Ｕ字状断面とされ、内側を反射面とした反射板が設けられていることを特徴とする。
【０００８】
この発明に係る蛍光灯照明器具によれば、反射膜部の両端側に設けた傾斜部により、ランプから背面方向に向かう照射光をソケット方向に反射させるので、背中合わせのソケット及びその周辺部を明るく照らすことができ、陰のない良好な照明を行うことができる。 
この際、傾斜部の上に反射板を取り付けることで、その反射板により、ランプからの照射光を積極的にソケット方向に反射させるので、中心軸線方向に連結された際に、光を照射面に平均的に照らすことができる。
【００１１】
請求項２に係る発明は、請求項１記載の蛍光灯照明器具において、前記反射板は、一端にソケット用切欠きを有すると共に、他端にランプ用切欠きを有する第１反射板と、他端にソケット用切欠きを有すると共に、他端にランプ用切欠きを有する第２反射板とが、対称形状に形成された分割品であることを特徴とする。
【００１２】
この発明に係る蛍光灯照明器具によれば、反射板が第１反射板と第２反射板との分割品であって、第１、第２反射板のソケット用切欠きにソケットをそれぞれ通すことで、傾斜板上に両反射板を安定して取り付けることができ、また、反射板を装着する際に、ランプ用切欠きに蛍光ランプの途中部分を嵌合させることで、反射板とランプとの干渉を避けることができ、反射板の装着が容易になる。
【００１３】
請求項３に係る発明は、請求項１記載の蛍光灯照明器具において、前記反射板は、長さ方向の中央部に、互いに背中合わせに配置されるソケット用切欠きを有する単品からなることを特徴とする。
【００１４】
この発明に係る蛍光灯照明器具によれば、反射板が単品であり、互いに隣り合う両蛍光灯照明器具の傾斜部の上に跨って取り付けられるので、反射板の管理が容易、かつ反射板装着の作業性が向上する。
【００１５】
【発明の実施の形態】
以下、図面を参照し、この発明の実施の形態について説明する。図１〜図３はこの発明の一実施の形態に係る蛍光灯照明器具を示す図であって、図１は蛍光灯照明器具の設置状態を示すカバー省略の正面図、図２は図１のＸ−Ｘ線による拡大断面図、図３は反射板における第１反射板を示す図である。
【００１６】
図１に示す実施形態の照明装置１０は、長尺状をなす蛍光灯照明器具１１が壁面Ｗ上に複数配列して構成されている。
これら蛍光灯照明器具１１の各々は、器具本体１２と、その器具本体１２の前面に設けられた反射膜部１３と、反射膜部１３の両端部に突設されたソケット１４Ａ、１４Ｂと、ソケット１４Ａ、１４Ｂによって支持された直管型蛍光管からなるランプ１５と、ランプ１５の前方を覆う透明又は半透明からなるカバー（図示せず）とを備えている。
【００１７】
これら蛍光灯照明器具１１が連続的に複数配列されることで、各蛍光灯照明器具１１のランプ１５が直線状に配設されると、一方の蛍光灯照明器具１１の一端側のソケット１４Ａと、これと隣り合う他方の蛍光灯照明器具１１の他端側のソケット１４Ｂとは、互いに背中合わせにして配置される。
【００１８】
なお、反射膜部１３は、図２に示すように、器具本体１２の前面の開口部にこれと略平行に設けられており、例えばコ字状からなる板体の表面に、白色の反射膜（ＳＰＣ塗装）が塗布されることで構成されている。器具本体１２は、図２のように前面を開口させた箱形形状をなしており、内部には図示しない安定器や配線等が収納され、その背面には、取付孔や配線用の挿通孔等（図示略）が設けられている。
【００１９】
この実施形態では、反射膜部１３の両端部に傾斜部１６が形成されている（図１参照）。この傾斜部１６は、反射膜部１３の前面の両端部において、反射膜部１３の中央側から端部に至るに従い次第に器具本体１２の背面方向に向かうよう直線状に形成され、ソケット１４Ａ、１４Ｂの周辺部が最も凹んだ最深部となっている。そして、傾斜部１６は、ランプ１５からの照射光を反射させたとき、その反射光をソケット１４Ａ、１４Ｂ方向に強制的に向かわせることで、ソケット１４Ａ、１４Ｂの周辺部を照らし照度を上げるようになっている。
【００２０】
従って、反射膜部１３は、ソケット１４Ａ、１４Ｂの周辺部のみに傾斜部１６が設けられ、それ以外の部分、即ち、ランプ１５の両端部を除いた中間部分と対応する位置を側面から見ると、従来通り、平坦に形成されている。
【００２１】
また、反射膜部１３の傾斜部１６には、その傾斜部１６に沿って反射板２０が取り付けられている。この反射板２０は、側面から見ると図１のように、傾斜部１６に沿うよう直線状に形成されている一方、その周囲は、蛍光ランプ１４から背面側に照射される光をより積極的に前方に反射させることができるように略半円形状に折曲加工されている。
【００２２】
反射板２０は、薄い金属板からなっており、例えば鋼製基板の表面にアルミニウムが蒸着されたり、基板自体がアルミニウム製であってその表面が鏡面仕上げされたりすることで、表面に鏡面部１９が設けられ（図３（ｂ）参照）、ランプ１５からの照射光をソケット１４Ａ、１４Ｂ方向に反射させ、ソケット１４Ａ、１４Ｂの周辺を積極的に照らすようにしている。
【００２３】
そして、この反射板２０は、図３に示す第１反射板２１と、それと対をなす図１に示す第２反射板２２との２個の分割品からなっていて、互いに対称形状に形成されている。
【００２４】
第１反射板２１は、図３（ａ）のように正面から見ると、略長四角状に形成されてあって、同図（ｂ）のように端面から見ると、略Ｕ字状に折曲げ加工されている。即ち、第１反射板２１は、その幅方向の中央部に反射膜部１３の傾斜部１６の幅方向中央部と当接する平板部２１ａが形成され、平板部２１ａの一方の側縁に第１折り曲げ部２１ｂ、第２折り曲げ部２１ｃ、第３折り曲げ部２１ｄが延長して形成されると共に、平坦部２１ａの他方の側縁に第１折り曲げ部２１ｅ、第２折り曲げ部２１ｆ、第３折り曲げ部２１ｇ、第４折り曲げ部２１ｈが延長して形成されている。
【００２５】
この場合、平坦部２１ａの一方の側縁の第１〜第３折り曲げ部２１ｂ〜２１ｄと、他方の側縁の第１〜第４折り曲げ部２１ｅ〜２１ｈとは、図１に示すように傾斜部１６上に取り付けられたとき、ランプ１５からの照射光をその内側の中央部に反射できるよう、上述のような略Ｕ字状に折り曲げ形成されている。
【００２６】
また、図３（ａ）に示すように、第１反射板２１の長さ方向の一端には、一方のソケット１４Ｂを挿通するために切り除かれたソケット用切欠き２３が設けられると共に、他端には、当該第１反射板２１を反射膜部１３の傾斜部１６上にセットする際、ランプ１５との干渉を避けるため、半円形状に切り除かれたランプ用切欠き２４が設けられている。
【００２７】
なお、第２反射板２２は、第１反射板２１と左右対称形状に形成され、図示は省略するが、長さ方向の一端にランプ用切欠きが設けられると共に、他端にソケット用切欠が設けられる他、第１反射板２１と同様に折り曲げ加工されている。また、第１、第２の反射板２１，２２は、反射膜部１３の左右両端の傾斜部１６の所定位置に、単に載置されたり、あるいは接着剤やねじ止め等の適宜固定手段で固定されたりして取り付けられる。
【００２８】
この実施形態の照明装置１０は、長尺状をなす蛍光灯照明器具１１が図１に示すように壁面Ｗ上に直線状に複数配列されることで構成される。その場合、蛍光灯照明器具１１が長さ方向に連続的に配列されると、一方の蛍光灯照明器具１１の器具本体１２の一端側のソケット１４Ａと、これと隣り合う蛍光灯照明器具１１の器具本体１２の他端側のソケット１４Ｂとが背中合わせとなるので、蛍光ランプが点灯した場合、隣り合っているソケット１４Ａ、１４Ｂ側が陰の部分となるおそれがある。
【００２９】
しかしながら、蛍光灯照明器具１１の反射膜部１３の両端側には、中央側から端部に至るに従い次第に器具本体１２の背面方向に向かう傾斜部１６が設けられ、この傾斜部１６により、蛍光ランプ１４から背面方向に向かう照射光をソケット１４Ｂ、１４Ａ方向に反射させるので、背中合わせのソケット１４Ａ、１４Ｂ及びその周辺部を明るく照らすことができる。
【００３０】
従って、器具本体１２の反射膜部１３において、ソケット１４Ａ、１４Ｂを明るく照らすことができるので、器具本体１１の前方から見た場合、背中合わせのソケット１４Ａ、１４Ｂの部分が陰の部分になるのを防止することができ、外観上の見苦しさを解消することができ、良好な照明を行うことができる。
しかも、反射膜部１３の端部の形状に工夫を懲らしただけであって、ランプ１５が全て直線状に配列されるので、従来のような蛍光ランプの端部がオーバーラップさせるのに比較すると、使用される蛍光ランプの本数を少なくすることができるばかりでなく、蛍光灯照明器具１１が一本のランプ１５に対応する幅寸法で済み、幅が不必要に大きくなるのを防げるので、装置全体が大型化するおそれがない。
【００３１】
そして、このような傾斜部１６の上に反射板２０を更に取り付けると、その反射板２０により、ランプ１５からの照射光を積極的にソケット１４Ａ、１４Ｂ方向に反射させるので、ソケット１４Ａ、１４Ｂをより明るく照らすことができる。しかも反射板２０の前面には鏡面部１９が設けられているので、ランプ１５からの照射光を極めて良好に行うことができ、反射光による照明を鮮明に行うことができる。
【００３２】
また、反射板２０は、第１反射板２１と第２反射板２２とが左右対称形状からなる分割品に形成され、第１、第２反射板２１、２２のソケット用切欠き２３にソケット１４Ｂ、１４Ａをそれぞれ通すことで、傾斜板１６上に両反射板２１，、２を安定して取り付けることができ、また、反射板２１、２２を装着する際に、ランプ用切欠き２４に蛍光ランプ１５の途中部分を嵌合させることで、反射板２１、２２とランプ１５との干渉を避けることができ、反射板２１、２２の装着が容易に行える。
【００３３】
図４はこの発明の第２の実施の形態に係る照明装置を示している。
前述した第１実施形態では、反射板２０が左右対称形状をなす第１反射板２１と第２反射板２２との分割品で構成された例を示したが、この実施形態においては、反射板２０が単品で構成されたものである。
【００３４】
即ち、この実施形態の反射板２０は、互いに隣り合う蛍光灯照明器具１１の傾斜部１６同士に一体に取り付けられるようになっており、図４のように、その長さ方向の中央部に、隣り合うソケット１４Ｂ、１４Ａを挿通させるソケット用切欠き２５が設けられている。この場合、長さ方向の両端部に鎖線に示すようにランプ用切欠き２４を設けてもよい。
【００３５】
そして、蛍光灯照明器具１１が連続的に配列されることで、蛍光灯照明器具１１の一方の傾斜部１６と、これと隣り合う蛍光灯照明器具１１の他方の傾斜部１６とが背中合わせになっているとき、これら隣り合っている両傾斜部１６の上に跨るようにして反射板２０を長さ方向中央部を折り曲げて側面視Ｖ字状とし（図中２点鎖線は折り曲げ箇所を示す）、この状態で取り付けるようにしている。
なお、反射板２０は、前面に鏡面部１９が設けられ、また折り曲げ形状が前述した実施形態と同様であるので、図１〜図３と同一部分には同一符号を付し、その説明を省略する。
【００３６】
この実施形態によれば、反射板２０を用いることで基本的には第１の実施形態と同様の作用効果が得られる。これに加え、反射板２０が単品であり、互いに隣り合う両蛍光灯照明器具の傾斜部１６の上に跨って取り付けられるので、反射板２０の管理が容易、かつ反射板２０装着の作業性も向上する。加えて、互いに隣り合う両蛍光灯照明器具１１の傾斜部１６の上に跨って取り付けられるので、ねじ等の固定手段で反射板２０を介して隣り合う両蛍光灯照明器具１１、１１同士を一体的に保持することができ、器具本体１１の強度を高めることもできる。
【００３７】
なお、図示実施形態では、反射膜部１３の両側に設けられた傾斜部１６が、中央側から端部に至るに従い直線状に形成された例を示したが、これに限らず、円弧状に形成してもよい。即ち、図示していないが、傾斜部１６が、中央側から端部に至るに従い次第に円弧状に凹む形状に形成しても、同様の作用効果を得ることができる。
また、図示実施形態では、間接照明を行うため、壁Ｗに蛍光灯照明器具を設置した例を示したが、天井等に吊り下げる、または直付けで使用することができるのは勿論のこと、照射面に直に照らす直接照明装置にも適用することができる。
【００３８】
【発明の効果】
以上説明したように、請求項１に係る発明によれば、反射膜部の両側に設けた傾斜部により、蛍光ランプから背面方向に向かう照射光をソケット方向に反射させるように構成したので、ソケットを明るく照らすことができ、背中合わせのソケットが陰の部分になるのを防止することができ、外観上の見苦しさを解消して良好な照明を行うことができると共に、装置全体が大型化するのを防止できる効果が得られる。この際、傾斜部の上に反射板を取り付けると、その反射板により、蛍光ランプからの照射光を積極的にソケット方向に反射させるので、ソケット周辺部をより明るく照明できる効果が得られる。
【００４０】
請求項２に係る発明によれば、反射板が第１反射板と第２反射板との分割品であり、傾斜板上に第１、第２反射板をそれぞれ取り付けると、両反射板を安定して取り付けることができる効果が得られる。
【００４１】
請求項３に係る発明によれば、反射板が単品であり、互いに隣り合う両蛍光灯照明器具の傾斜部の上に跨って取り付けられるので、反射板の管理が容易、かつ反射板装着の作業性も向上する。加えて、ねじ等の固定手段で反射板を介して隣り合う両蛍光灯照明器具同士を一体的に保持することができ、器具本体の取付強度を高めることもできる効果が得られる。
【図面の簡単な説明】
【図１】  この発明の一実施の形態に係る蛍光灯照明器具の設置状態を示すカバー省略の正面図である。
【図２】  図１のＸ−Ｘ線による拡大断面図である。
【図３】  反射板における第１反射板を示す図であって、（ａ）は正面図及び（ｂ）は側面図である。
【図４】  この発明の第２の実施の形態に係る照明装置を示す反射板の正面図である。
【図５】  ランプが直線状に配列された一般の蛍光灯照明器具を示す図である。
【図６】  従来の照明装置を示す斜視図である。
【符号の説明】
１０    照明装置
１１    蛍光灯照明器具
１２    器具本体
１３    反射膜部
１４Ａ、１４Ｂ    ソケット
１５    蛍光ランプ
１６    傾斜部
１９    鏡面部
２０    反射板
２１    第１反射板
２２    第２反射板
２３、２５    ソケット用切欠き
２４    ランプ用切欠き
【図１】
0003855836.tif 000002
【図２】
0003855836.tif 000003
【図３】
0003855836.tif 000004
【図４】
0003855836.tif 000005
【図５】
0003855836.tif 000006
【図６】
0003855836.tif 000007